【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
試料を蒸発させるように構成された回転蒸発器と、
蒸発された試料を凝縮するように構成された凝縮器と、
前記凝縮器を冷却するように構成された冷凍システムと、
凝縮物を収集するように構成された収集容器と、
前記蒸発器内に真空を形成するように構成された真空ポンプと、を備え、
前記回転蒸発器、前記凝縮器、前記冷凍システム、前記収集容器、及び前記真空ポンプの各々は、単一装置へ一体化されている、一体化蒸留装置。
【請求項２】
請求項１に記載の一体化蒸留装置であって、さらに、
回転力を提供するように構成された電動部品と、
前記回転力を印加される前記電動部品内に挿入支持されたロータリジョイントと、
前記ロータリジョイントの第１端に接続された試料容器と、
前記試料容器内に置かれることが可能な水槽であって、熱エネルギを前記試料容器に供給するように構成された水槽と、
前記ロータリジョイントの第２端に接続された凝縮器であって、前記凝縮器から凝縮された凝縮蒸気を受ける収集フラスコを受け入れるように構成された凝縮器と、
前記凝縮器に係合するように構成された冷却コイルであって、前記冷凍システムから冷却剤を受けるように構成されることにより、前記凝縮器が、前記凝縮器と接触する蒸気を凝縮するのに十分に冷たい、冷却コイルと
を備える、一体化蒸留装置。
【請求項３】
請求項２に記載の一体化蒸留装置であって、さらに、
前記試料容器に係合させるために垂直および／または水平方向に前記水槽を移動させるように構成された機械式リンクを備える、一体化蒸留装置。
【請求項４】
請求項２に記載の一体化蒸留装置であって、
前記冷凍システムは、凝縮器と冷媒とを備え、
前記冷凍システムは、冷却剤を前記凝縮器に供給することにより前記蒸発器からの蒸気を凝縮する、一体化蒸留装置。
【請求項５】
請求項４に記載の一体化蒸留装置であって、
前記冷却剤は、前記凝縮器内部の二重コイルに供給され、
前記蒸気は、前記二重コイルまたは前記二重コイルを囲む壁に接触する、一体化蒸留装置。
【請求項６】
請求項２に記載の一体化蒸留装置であって、さらに、
全ての部品を単一装置へ一体化するように構成されたフレームを備え、
前記水槽は、前記回転蒸発器に対して移動するように構成され、
前記回転蒸発器、冷凍システム、収集容器、凝縮器および真空ポンプは、前記フレーム内で固定されている、一体化蒸留装置。
【請求項７】
請求項２に記載の一体化蒸留装置であって、
前記収集容器は、真空弁により分割された第１および第２コンパートメントを備え、
前記真空弁が前記蒸発器上の前記真空を維持し且つ前記第２コンパートメントが凝縮物を収集し続けながら、前記第１コンパートメントは前記凝縮物を収集するために取り外し可能である、一体化蒸留装置。
【請求項８】
請求項２に記載の一体化蒸留装置であって、
前記凝縮器は、２つ以上の凝縮器を直列に備える、一体化蒸留装置。
【請求項９】
請求項２に記載の一体化蒸留装置であって、さらに、
前記凝縮器内部に真空シールを備える、一体化蒸留装置。
【請求項１０】
請求項９に記載の一体化蒸留装置であって、
前記凝縮器内部の前記真空シールは、前記回転蒸発器が前記凝縮器に係合する箇所で前記凝縮器内部に組み込まれたＯリングを備える、一体化蒸留装置。
【請求項１１】
請求項１０に記載の一体化蒸留装置であって、
前記Ｏリングは、内部真空シールを提供する、一体化蒸留装置。
【請求項１２】
請求項２に記載の一体化蒸留装置であって、
前記冷凍システムは、前記凝縮器を約周囲温度から約−１００℃までに冷却するように構成されている、一体化蒸留装置。
【請求項１３】
請求項２に記載の一体化蒸留装置であって、
前記一体化蒸留装置の設置面積が約３００平方インチ未満であるように、前記回転蒸発器、前記凝縮器、前記冷凍システム、前記収集容器、及び前記真空ポンプが配置される、一体化蒸留装置。
【請求項１４】
請求項２に記載の一体化蒸留装置であって、
回転力を供給するように構成された前記電動部品は、前記回転蒸発器を垂直に動かすように構成された機械式リンクを備える、一体化蒸留装置。
【請求項１５】
請求項２に記載の一体化蒸留装置であって、
前記凝縮器は、冷却コイルを囲むスリーブを備え、
前記スリーブは、チタン材料を備える、一体化蒸留装置。
【請求項１６】
請求項２に記載の一体化蒸留装置であって、
前記凝縮器と回転蒸発器との間に配設された折り畳み可能な部材をさらに備えることより、前記折り畳み可能な部材は、前記凝縮器へ接続されたまま前記回転蒸発器の位置決めを調節できるように構成されている、一体化蒸留装置。
【請求項１７】
請求項１に記載の一体化蒸留装置であって、さらに、
前記冷凍システムおよび真空ポンプを収容し、且つ前記回転蒸発器および凝縮器を構造的に支持するように構成されたフレーム構造を備える、一体化蒸留装置。
【請求項１８】
請求項１７に記載の一体化蒸留装置であって、
前記フレーム構造は、移動可能な位置に前記回転蒸発器を支持する一方、固定位置に前記凝縮器を支持するように構成されている、一体化蒸留装置。
【請求項１９】
試料を蒸発させるように構成された回転蒸発器と、
蒸発された試料を凝縮するように構成された凝縮器と、
前記凝縮器を冷却するように構成された冷凍システムと
を備え、
前記回転蒸発器、凝縮器および冷凍システムは、単一構造へ一体化され、
前記回転蒸発器は、移動可能に前記構造に取り付けられ、位置を垂直方向に変換可能に構成され、
前記凝縮器は、前記構造から延在し、且つ前記回転蒸発器に隣接したアームによって前記構造に取り付けられ、
前記冷凍システムは、前記凝縮器と流体連結している、一体化蒸留装置。
【請求項２０】
請求項１９に記載の一体化蒸留装置であって、さらに、
回転力を前記回転蒸発器に供給するように構成された電動部品を備える、一体化蒸留装置。
【請求項２１】
請求項１９に記載の一体化蒸留装置であって、さらに、
前記回転蒸発器の位置を垂直方向に変換する機械式リンクを備える、一体化蒸留装置。
【請求項２２】
請求項１９に記載の一体化蒸留装置であって、さらに、
前記回転蒸発器の試料容器を沈めることが可能な、加熱された水槽を備える、一体化蒸留装置。
【請求項２３】
請求項１９に記載の一体化蒸留装置であって、
前記凝縮器は、前記冷凍システムと流体連結している冷却コイルを備える、一体化蒸留装置。
【請求項２４】
請求項２３に記載の一体化蒸留装置であって、
前記凝縮器が前記冷却コイルを囲むチタンスリーブを備えることにより、前記チタンスリーブが前記冷却コイルにより冷却され、
前記回転蒸発器からの蒸発物は、前記チタンスリーブに接触して凝縮する、一体化蒸留装置。
【請求項２５】
請求項２３に記載の一体化蒸留装置であって、
前記凝縮器が前記冷却コイルを囲む合金スリーブを備えることにより、前記合金スリーブが前記冷却コイルにより冷却され、
前記回転蒸発器からの蒸発物は、前記合金スリーブと接触して凝縮する、一体化蒸留装置。
【請求項２６】
請求項１９に記載の一体化蒸留装置であって、
前記冷凍システムは、圧縮器、冷凍凝縮器、乾燥機、および冷媒を備える、一体化蒸留装置。
【請求項２７】
請求項１９に記載の一体化蒸留装置であって、
前記一体化蒸留装置は、約３００平方インチ未満の設置面積を備える、一体化蒸留装置。